(57)【要約】      （修正有）【課題】意匠性、利便性等に優れたトイレ用キャビネットを提供すること。【解決手段】トイレルームの壁材に隣接して設けられ、給水部及び排水部を収容するトイレ用キャビネット３であって、前面を形成する前パネル３ａと、上面を形成するとともに、前パネル３ａと給水部及び排水部を収容する収容空間Ｈを形成するカウンターパネル３ｂとを備え、前パネル３ａの上端部側がカウンターパネル３ｂの前端部３ｃと前後方向Ｔ１に重なる縦勝ち形態で構成する。【選択図】図８
2020111924.tif 000002
【特許請求の範囲】
【請求項１】
トイレルームの壁材に隣接して設けられ、給水部及び排水部を収容するトイレ用キャビネットであって、
前面を形成する前パネルと、
上面を形成するとともに、前記前パネルと前記給水部及び前記排水部を収容する収容空間を形成するカウンターパネルとを備え、
前記前パネルの上端部側が前記カウンターパネルの前端部と前後方向に重なる縦勝ち形態で構成されている、トイレ用キャビネット。
【請求項２】
前記カウンターパネルが、後端部側を中心に回動して開閉可能に設けられるとともに、閉状態で前記前パネルと前記前端部との前後方向の間に隙間が形成されるように設けられている、請求項１に記載のトイレ用キャビネット。
【請求項３】
閉状態の前記カウンターパネルの前記前端部の下方に、前記隙間と上下方向に重なるように配設された目隠し部材を備える、請求項２に記載のトイレ用キャビネット。
【請求項４】
前記カウンターパネルの前端面が、前記カウンターパネルの上面から下面に向かうに従い前記前端部から後端部側に向けて傾斜する傾斜面を備えて形成されている、請求項２または請求項３に記載のトイレ用キャビネット。
【発明の詳細な説明】
【技術分野】
【０００１】
本発明は、トイレ用キャビネットに関する。
【背景技術】
【０００２】
例えば、便器装置には、トイレルームの壁側に固定フレームを設置し、固定フレームの上端側にロータンクを載置して支持するとともに、便器本体の後端側に設けられた排水孔に排水管を接続し、固定フレーム、ロータンク、排水管等を、カウンターパネル及び前パネルを備えてなるトイレ用キャビネット内に納めて構成したものがある（例えば、特許文献１参照）。
【０００３】
これにより、トイレルームに便器本体のみが露出し、トイレルーム内の意匠性等をよくすることができる。
【先行技術文献】
【特許文献】
【０００４】
【特許文献１】特開２０１２−０５７２９４号公報
【発明の概要】
【発明が解決しようとする課題】
【０００５】
一方、従来のトイレ用キャビネットにおいては、前パネルの上端部とカウンターパネルの前端部とが上下方向に重なる横勝ちの形態で構成されているため、トイレルームに入ってトイレ用キャビネットが目に入ったときに、幅方向に延びる前パネルとカウンターパネルの取り合い部が線や隙間として見え、意匠性の低下を招くという問題があった。
【０００６】
また、このように前パネルとカウンターパネルの取り合い部が線や隙間として見えてしまうと、壁材と一体化して目立たなくしたいトイレ用キャビネットの箱としての存在感が増し、空間的な意匠性の低下を招くという不都合が生じる。
【０００７】
本発明は、意匠性、利便性等に優れたトイレ用キャビネットを提供することを目的とする。
【課題を解決するための手段】
【０００８】
本発明者は、トイレ用キャビネットの意匠性、利便性（機能性）を向上させる手段を見出し、本発明を完成するに至った。
【０００９】
（１）本発明は、トイレルーム（例えば、後述のトイレルーム１００）の壁材（例えば、後述の後壁１０１）に隣接して設けられ、給水部（例えば、後述の給水部１０）及び排水部（例えば、後述の排水部１２）を収容するトイレ用キャビネット（例えば、後述のトイレ用キャビネット３）であって、前面を形成する前パネル（例えば、後述の前パネル３ａ）と、上面を形成するとともに、前記前パネルと前記給水部及び前記排水部を収容する収容空間を形成するカウンターパネル（例えば、後述のカウンターパネル３ｂ）とを備え、前記前パネルの上端部側が前記カウンターパネルの前端部と前後方向（例えば、後述の前後方向Ｔ１）に重なる縦勝ち形態で構成されていることを特徴とする。
【００１０】
（２）本発明は、上記（１）において、前記カウンターパネルが、後端部側を中心に回動して開閉可能に設けられるとともに、閉状態で前記前パネルと前記前端部との前後方向の間に隙間（例えば、後述の隙間Ｌ）が形成されるように設けられていてもよい。
【００１１】
（３）本発明は、上記（２）において、閉状態の前記カウンターパネルの前記前端部の下方に、前記隙間と上下方向（例えば、後述の上下方向Ｔ３）に重なるように配設された目隠し部材（例えば、後述の目隠し部材５４）を備えてもよい。
【００１２】
（４）本発明は、上記（２）または（３）において、前記カウンターパネルの前端面（例えば、後述の前端面３ｃ）が、前記カウンターパネルの上面（例えば、後述の上面３ｄ）から下面（例えば、後述の下面３ｅ）に向かうに従い前記前端部から後端部側に向けて傾斜する傾斜面を備えて形成されていてもよい。
【発明の効果】
【００１３】
本発明によれば、前パネルの上端部がカウンターパネルの前端部と前後方向に重なる縦勝ち形態で構成されていることにより、トイレルームに入ってトイレ用キャビネットが目に入ったときに、前パネルの前面が一面として見え、従来の横勝ち形態のトイレ用キャビネットのように幅方向に延びる前パネルとカウンターパネルの取り合い部が線や隙間として見えることがない。
【００１４】
これにより、従来と比較し、意匠性を大幅に向上させることが可能になる。また、箱としての存在感が大幅に低減し、トイレ用キャビネットを壁材と一体化して見えるようにすることができ、空間的な意匠性の向上も図ることが可能になる。
【図面の簡単な説明】
【００１５】
【図１】本発明の一実施形態に係るトイレルーム、壁掛け便器、トイレ用キャビネットを示す正面図である。
【図２】本発明の一実施形態に係る壁掛け便器（トイレ用キャビネット）を示す平面図である。
【図３】本発明の一実施形態に係る壁掛け便器、トイレ用キャビネットを示す側面図である。
【図４】本発明の一実施形態に係る壁掛け便器、トイレ用キャビネットを示す斜視図である。
【図５】本発明の一実施形態に係る壁掛け便器の固定フレームを示す斜視図である。
【図６】本発明の一実施形態に係る壁掛け便器の固定フレームの上側接続部を示す斜視図である。
【図７】本発明の一実施形態に係る壁掛け便器の固定フレームの上側接続部を示す斜視図である。
【図８】本発明の一実施形態に係るトイレ用キャビネットを示す斜視図であり、カウンターパネルを開いた状態を示す図である。
【図９】本発明の一実施形態に係るトイレ用キャビネットのカウンターパネル、エンドキャップを示す斜視図である。
【図１０】図９のＳ部の拡大図であり、本発明の一実施形態に係るトイレ用キャビネットのエンドキャップのリブを示す斜視図である。
【図１１】本発明の一実施形態に係るトイレ用キャビネットのエンドキャップを示す断面図である。
【図１２】本発明の一実施形態に係るトイレ用キャビネットのカバー部材を示す斜視図である。
【図１３】本発明の一実施形態に係るトイレ用キャビネットを示す平面図である。
【発明を実施するための形態】
【００１６】
以下、図１から図１３を参照し、本発明の一実施形態に係るトイレ用キャビネットについて説明する。
【００１７】
ここで、本実施形態では、本発明に係るトイレ用キャビネットが壁掛け便器（壁掛け式の便器装置）を備えたトイレルームに適用されるものとして説明を行うが、勿論、本発明は床設置式の便器装置を備えた場合でも適用可能である。
【００１８】
はじめに、図１は、本実施形態の壁掛け便器２を設置したトイレルーム１００の内部を示した図であり、本実施形態のトイレルーム１００は、略直方形の空間で、長手方向がトイレルーム１００の手前側の入口（不図示）と入口に対向する奥側の後壁（壁材）１０１とを結ぶ前後方向Ｔ１に沿っている。
【００１９】
トイレルーム１００は、奥側の後壁１０１と、後壁１０１の幅方向Ｔ２の一方と他方の一対の側壁１０２と、出入口用の扉が設けられた前壁（不図示）と、床構造１０３とを備えて構成されている。
【００２０】
また、トイレルーム１００は、図２に示すように、各角部に建築部材の柱材の隅柱１０４を設けて構成され、後壁１０１の壁裏には、幅方向Ｔ２の両角部に設けられた左右一対の隅柱１０４に架け渡すようにして補強下地（補強受け木）１０５が配設されている。また、各隅柱１０４には柱側受け木１０６が取り付けられている。柱側受け木１０６は、上下方向に沿って延設されている。
【００２１】
なお、本実施形態において、上下方向Ｔ３は天地方向であり、幅方向Ｔ２はトイレルーム１００の入口側から後壁１０１に向かって左右を結ぶ横方向を意味する。
【００２２】
そして、トイレルーム１００には、図１から図３に示すように、トイレ用キャビネット３や便器本体４などを備えてなる壁掛け便器２が設置され、奥側の後壁１０１に一体にトイレ用キャビネット３が設けられ、トイレ用キャビネット３の前パネル３ａから便器本体４が片持ち状態で前方に突き出すように設けられている。
【００２３】
具体的に、本実施形態の壁掛け便器装置２は、便器本体４、便座５及び便蓋６と、便器本体４及びロータンク７等を支持する固定フレーム８と、便器本体４に水を供給するロータンク７及び給水管９からなる給水部１０と、便器本体４から排水本管１１に排水を排出するための排水部１２と、固定フレーム８、給水部１０、排水部１２等を収容するトイレ用キャビネット３とを備えて構成されている。
【００２４】
便器本体４は、図４に示すように、上部が開口した凹状のボウル部４ａを有する陶器などの容器であり、ボウル部４ａの底部に汚物等を排出する排水孔（排水口）４ｂを備えて形成されている。また、便器本体４は、トラップ部４ｃを備え、排水孔４ｂがトラップ部４ｃを通じて便器本体４の後端側（背面側）に開口形成されている。
【００２５】
図１から図４に示すように、便座５は、便器本体４の上に配設され、使用者が着座する部材であり、便蓋６は、便器本体４のボウル部４ａの上部開口を覆う蓋材であり、それぞれ、便器本体４の後方側に配されたヒンジ部で接続され、ヒンジ部の幅方向Ｔ２に沿う回動軸周りに回動可能、ひいては便器本体４のボウル部４ａを開閉可能に設けられている。
【００２６】
固定フレーム８は、図４及び図５（図１から図３）に示すように、便器本体４の後端側を接続して便器本体４を片持ち状態で支持するとともにロータンク７（給水部１０）を支持するフレーム本体部１５と、フレーム本体部１５を隅柱１０４、補強下地１０５、柱側受け木１０６などの建築部材に接続して支持するための接続支持部１６とを備えて構成されている。
【００２７】
フレーム本体部１５は、幅方向Ｔ２に所定の間隔をあけて立設された一対の縦材（縦桟）１７、１８と、一対の縦材１７、１８の上端部側に接続し、幅方向Ｔ２に延設された横材（上桟）１９と、横材１９よりも下方に配設され、一端を一方の縦材１７に、他端を他方の縦材１８にそれぞれ接続して幅方向Ｔ２に沿って架設された連結横材（下桟）２０とを備えている。
【００２８】
フレーム本体部１５は、例えば、縦材１７、１８が角鋼管、横材１９がＬ字アングル、連結横材２０がコの字型板金を用いて形成されている。なお、横材１９は必ずしもＬ字アングルでなくてもよく、例えば、Ｌ字以外のアングル（他の形鋼材：鋼材に限定する必要もない）であってもよい。
【００２９】
本実施形態のフレーム本体部１５は、横材１９のＬ字アングルの一片部１９ａ側をその板面を前後方向Ｔ１に向け、一対の縦材１７、１８の前面に面接触するように配し、他片部１９ｂ側をその板面を上下方向Ｔ３に向け、一対の縦材１７、１８の上端に当接するように配しつつ、溶接やボルト接合などの適宜手段を用いて、一対の縦材１７、１８に一体に接続固定されている。
【００３０】
フレーム本体部１５は、横材１９が一対の縦材１７、１８の間隔よりも大きな幅寸法（長さ）で形成され、横材１９の一端部側が一方の縦材１７よりも幅方向Ｔ２外側に、横材１９の他端部側が他方の縦材１８よりも幅方向Ｔ２外側にそれぞれ延出して形成されている。これにより、フレーム本体部１５は、略鳥居形を呈するように形成されている。
【００３１】
また、フレーム本体部１５は、一対の縦材１７、１８のそれぞれの所定の高さ位置に、便器固定ボルト２１が前方に突出して取り付けられている。これにより、フレーム本体部１５は、便器本体４の後端側に設けられたボルト挿通孔に便器固定ボルト２１を挿通しナットを締結することによって、フレーム本体部１５の前方側に配された便器本体４を片持ち状態で接続して支持するように構成されている。
【００３２】
フレーム本体部１５には、ロータンク７を支持するタンク支持部材２２が着脱可能に取り付けられている。
【００３３】
タンク支持部材２２は、フレーム本体部１５の後方側でロータンク７を載置台２２ａ上に載置して支持するように形成されており、例えば、一対の縦材１７、１８にそれぞれ穿設されたボルト挿通孔にボルト接合するなどし、フレーム本体部１５の後方側に配設されている。
【００３４】
本実施形態においては、一対の縦材１７、１８にそれぞれ、上下方向Ｔ３に所定の間隔をあけて複数のボルト挿通孔が設けられ、任意のボルト挿通孔を用いてボルト接合することにより、タンク支持部材２２の載置台２２ａの高さ位置ひいてはロータンク７の設置位置を任意に調節できるように構成されている。
【００３５】
フレーム本体部１５には、図３から図５に示すように、便器本体４の排水孔４ｂと、排水本管１１に繋がる排水本管接続部２３とを接続するための排水管接続部材２４が取り付けられている。
【００３６】
排水管接続部材２４は、一対の縦材１７、１８にそれぞれ両側端部を接続して一対の縦材１７、１８の間に架設される固定板部２５を備えている。また、排水管接続部材２４は、略円筒状に形成され、固定板部２５の中央を貫通するように一体に設けられ、フレーム本体部１５の前方側に突出して配された便器排水孔接続部２６を便器本体４の排水孔４ｂに嵌合して固定し、フレーム本体部１５の後方側に突出して配された配管接続部２７に配管２８を嵌合して固定し、便器本体４の排水孔４ｂと排水本管１１とを接続して連通させるように構成されている。
【００３７】
フレーム本体部１５を隅柱１０４、補強下地１０５、柱側受け木１０６などの建築部材に接続して支持するための接続支持部１６は、図５、図６、図７（図２から図４）に示すように、フレーム本体部１５の一対の縦材１７、１８の下端部をトイレルーム１００の床構造１０３に接続するための下側接続部３０と、フレーム本体部１５の横材（上桟）１９を後方の壁裏の建築部材（１０４、１０５、１０６）に接続するための上側接続部３１とを備えている。
なお、本実施形態における「補強木」、「補強下地」、「柱側受け木」は必ずしも木材、木質材でなくてもよく、それぞれ、「補強材」、「補強下地材」、「柱側受け材」を意味する。
【００３８】
下側接続部３０は、各縦材１７、１８の下端に溶接などして取り付けられた取付板３０ａを備え、例えば、取付板３０ａに貫通形成された貫通孔を通じて床構造１０３にビス止めするなどし、フレーム本体部１５を垂直に立設した状態で支持する。
【００３９】
なお、下側接続部３０を接続してフレーム本体部１５を支持する本実施形態の床構造１０３は、例えば木造住宅の場合、２本の平行な大引きと、大引きの上に所定間隔をあけて一体に配設されるとともに大引きと直交して並設された複数の根太と、これら根太の上に取り付けて敷設された耐水合板と、耐水合板の上面全体に貼設された化粧板とを備えて構成されている。
また、床構造１０３には、上面から下面に貫通する排水管挿通孔３２が所定位置に設けられている。
【００４０】
上側接続部３１は、フレーム本体部１５から後方側に間隔をあけて後壁１０１側に配設される補強木３５と、補強木３５とフレーム本体部１５の横材１９とを連結する連結部材３６と、幅方向Ｔ２に沿って水平の横方向に延設された補強木３５の両端部と後壁側の建築部材（１０４、１０５、１０６）とを接続して補強木３５を固定するための固定具３７とを備えて構成されている。
【００４１】
補強木３５は、例えば、矩形平板状に形成され、裏面をトイレルーム１００の後壁１０１の壁材に面接触させ、幅方向Ｔ２の長手方向を水平の横方向に向けて配設される。補強木３５は、フレーム本体部１５の横材１９と対峙する高さ位置に配設される。補強木３５は、トイレルーム１００を構成する後壁１０１の壁材の幅寸法や左右一対の隅柱１０４の間隔に応じ、切断するなどして現場に適した長さに調整して使用される。
【００４２】
連結部材３６は、例えば、全ねじボルト（一部にねじ部を備えたねじボルトであっても構わない）であり、補強木３５の前面にビス止めするなどして固着した板付きナット３８に一端を螺着し、フレーム本体部１５の横材１９の前後方向Ｔ１を向く一片部１９ａに貫通形成したボルト挿通孔に他端側を挿通するとともにナットを螺着して配設される。また、本実施形態では、縦材１７、１８よりも幅方向Ｔ２外側に延出したフレーム本体部１５の横材１９の両端部側（各延出部１９ｃ）にボルト挿通孔が貫通形成され、各ボルト挿通孔に前後方向Ｔ１に対向する補強木３５の位置に板付きナット３８が配設されている。
【００４３】
これにより、左右一対の全ねじボルトである連結部材３６は、同高さ位置で平行に配設（並設）されるとともに、フレーム本体部１５の一対の縦材１７、１８の間隔よりも大きな所定の間隔をあけて配設され、後壁１０１の壁材の所定位置に面接触した補強木３５（ひいては壁裏の建築部材）とフレーム本体部１５の横材１９（フレーム本体部１５の上端部側）とを連結する。
【００４４】
また、このとき、左右一対の連結部材３６の間の幅方向Ｔ２の間隔、及びフレーム本体部１５と後壁１０１の間の前後方向Ｔ１の間隔は、左右一対の連結部材３６の間を通してロータンク７を斜めにすることなく上下に出し入れできる寸法とされている。
【００４５】
さらに、連結部材３６が全ねじボルトであることにより、補強材３５とフレーム本体部１５の前後方向Ｔ１の間隔を自在に調節（調整）することが可能になる。これにより、フレーム本体部１５の設置位置ひいては便器本体４の設置位置を自在に調節することが可能になる。さらに、後壁１０１に不陸がある場合など、一対の連結部材３６の長さをそれぞれ調節することで、好適に補強材３５及びフレーム本体部１５を位置決めして配設することが可能になる。
【００４６】
固定具３７は、図５、図６（図２から図４）に示すように、例えば、補強木３５の両端部側にそれぞれ接続し、補強木３５の各端部と建築部材（１０４、１０５、１０６）とを接続するための固定金具であり、補強木３５の一端部又は他端部に接続する補強木側接続部４０と、建築部材の壁材１０１を通じて壁裏に配された建築部材（補強下地１０５や柱側受け木１０６）に接続する壁側接続部４１と、建築部材の柱材（隅柱１０４）に接続する柱側接続部４２とを備えている。
【００４７】
さらに、本実施形態の左右一対の固定具３７はそれぞれ、水平の横方向に延設された補強木３５の前面に面接触してビス止め（又はボルト止め）して接続するための略平板状の補強木側接続部４０と、補強木側接続部４０から補強木３５の端部（側端部）を覆うように後方に延びる略平板状の段部４３と、段部４３から補強木３５の幅方向Ｔ２外側に延びる略平板状の壁側接続部４１と、壁側接続部４１から幅方向Ｔ２外側に向かうに従い漸次前方側に延びる、すなわち、斜めに延設された略平板状の柱側接続部４２と、柱側接続部４２から柱材（隅柱１０４）の側面に沿って前方に延びる添え板部４４とを備えて形成されている。
【００４８】
補強木側接続部４０と壁側接続部４１と柱側接続部４２にはそれぞれ、ビス（又はボルト）を挿通して補強木側接続部４０と壁側接続部４１と柱側接続部４２をそれぞれ補強木３５、又は建築部材（１０４、１０５、１０６）に接続するための複数の貫通孔が設けられている。
【００４９】
壁側接続部４１には、例えば、隣り合う一対の隅柱１０４に支持させて架設され、壁裏に配設された建築部材の補強下地（横受け木）１０５に接続するための複数の補強下地用の貫通孔４５と、隅柱１０４の柱材に取り付けて上下方向Ｔ３に延設された壁側受け木（縦受け木）１０６に接続するための複数の受け木用の貫通孔４６とが設けられている。
【００５０】
そして、例えば、補強木側接続部４０を補強木用の貫通孔４８にビスを挿通しつつ補強木３５の端部側に接続し、隅柱１０４に接続する際には、柱側接続部４２の貫通孔４７や壁側接続部４１の受け木用の貫通孔４６にビスを挿通しつつ柱側接続部４２を隅柱１０４に、壁側接続部４１を柱側受け木１０６に接続し、補強下地１０５に接続する際には、壁側接続部４１の補強下地用の貫通孔４５と受け木用の貫通孔４６にビスを挿通しつつ壁側接続部４１を補強下地１０５に接続し、固定具３７によって補強木３５を建築部材（１０４、１０５、１０６）に支持させて強固に設置する。
【００５１】
補強木３５に連結部材３６を介してフレーム本体部１５が接続することで、フレーム本体部１５の一対の縦材１７、１８に後端部側をボルト接続して便器本体４を設け、フレーム本体部１５の後方側にタンク支持部材２２を取り付け、ロータンク７を載置して設けた場合であっても、フレーム本体部１５ひいては固定フレーム８によって便器本体４、ロータンク７を好適に支持して配設することができる。
【００５２】
図３、図５に示すように、フレーム本体部１５に取り付けられた排水管接続部材２４の便器排水孔接続部２６に便器本体４の排水孔４ｂが嵌合して接続され、排水管接続部材２４の配管接続部２７ひいては便器本体４の排水孔４ｂと、排水本管１１とが、蛇腹管やエルボ管、直管などの配管２８を用い、また、床構造１０３の排水管挿通孔３２を通じて接続される。
【００５３】
トイレ用キャビネット３は、図１から図３に示すように、フレーム本体部１５に支持させ、便器本体４とフレーム本体部１５の間に後壁１０１と平行に配設されて前面（化粧面）を形成する前パネル３ａと、上面を形成し、前パネル３ａと後壁１０１との間の空間を閉塞するカウンターパネル（天板）３ｂとを備えて構成されている。これにより、トイレ用キャビネット３内に、固定フレーム８、ロータンク７等の給水部１０、配管２８等の排水部１２が収容される。
【００５４】
カウンターパネル３ｂは、図８に示すように、幅方向Ｔ２に所定の間隔をあけて補強木３５に取り付けられた２つのヒンジ部４９に接続され、ヒンジ部４９の幅方向Ｔ２に沿う回動軸周りに回動可能、すなわち、トイレ用キャビネット３の上部開口を開閉可能に設けられている。
なお、カウンターパネル３ｂは、着脱可能、すなわち取り外し可能に設けられてトイレ用キャビネット３の上部開口を開閉できるように構成されていてもよい。
【００５５】
カウンターパネル３ｂは、ステー６０が取り付けられ、カウンターパネル３ｂを開くときには負荷がなく、閉めるときにはステー６０のダンパー機構によってゆっくりと閉動するように構成されている。
【００５６】
なお、ステー６０は、一端をカウンターパネル３ｂ側に、他端を、施工時にトイレルーム１００の側壁１０２にプラスチックアンカーなどで固定されるステー土台６１に接続して設けられている。ステー土台６１は、固定具３７及び／又は後壁１０１に当接することによって所定位置に位置決めして配設されるように形成されている。
【００５７】
カウンターパネル３ｂは、例えば、図９から図１０に示すように、現場の状況や条件などに応じ、現場で切断して幅寸法を調整し、その両側端部にそれぞれエンドキャップ６２を取り付けて形成される。
【００５８】
エンドキャップ６２は、上板６２ａ、下板６２ｂ、側板６２ｃ、前板６２ｈを有する断面略コ字状に形成され、カウンターパネル３ｂの側端部側の上面、下面、側端面及び前端面を被覆するようにカウンターパネル３ｂの側端部に嵌合して配設されるキャップ本体６２ｄと、キャップ本体６２ｄの下端からカウンターパネル３ｂの幅方向Ｔ２内側に向けて突出し、下方からカウンターパネル３ｂの下面にビス止めされる固定部６２ｅとを備えて形成されている。
【００５９】
エンドキャップ６２の固定部６２ｅは、略方形平板状に形成され、その厚さがキャップ本体６２ｄの下板６２ｂよりも薄く（薄肉で）形成されている。固定部６２ｅのビス孔６２ｆは、突出方向に延びて先端部に達するスリット状に形成されている。なお、ビス孔６２ｆは突出方向に延びる長孔として形成されていてもよい。
【００６０】
さらに、キャップ本体６２ｄには、下板６２ｂの上面から上方に突出し、幅方向Ｔ２内側に延びるリブ６２ｇが設けられている。このリブ６２ｇは、厚さがある厚さ寸法よりも大きいカウンターパネル３ｂを用いる際には、エンドキャップ６２を取り付けるとともにつぶれ、厚さがある厚さ寸法よりも小さいカウンターパネル３ｂを用いる際には、エンドキャップ６２を取り付けるとともにカウンターパネル３ｂがリブ６２ｇを乗り上げるように構成／形成されている。
【００６１】
これにより、厚さが異なるカウンターパネル３ｂを用いる場合に、厚さに関わりなく、カウンターパネル３ｂの上面がキャップ本体６２ｄの上板６２ａに当接するように位置決めすることが可能になる。
【００６２】
このとき、固定部６２ｅが薄肉とし、ビス孔６２ｆがスリット状に形成されていることで、カウンターパネル３ｂの下面にビス止めした際に固定部６２ｅがカウンターパネル３ｂの下面とキャップ本体３２ｄの下板６２ｂの高さ位置の違いに追従し（弾性変形して）、キャップ本体６２ｄが傾くことなく、カウンターパネル３ｂに取り付け、固定することができる。
【００６３】
次に、カウンターパネル３ｂを開くことで、ロータンク７等のメンテナンスやロータンク７内の水を強制的に排出する強制排水手段５０の操作などを行うことができる。
【００６４】
また、本実施形態のトイレ用キャビネット３は、図８、図９、図１０に示すように、カウンターパネル３ｂの下方に配設されるとともに、内部に収容したロータンク７の上面を被覆するように配設されるカバー部材５１を備えている。
【００６５】
本実施形態のカバー部材５１は、略方形平板状に形成され、水平に配設されてロータンク７の上面を被覆するカバーパネル部５１ａと、略方形平板状に形成され、カバーパネル部５１ａの幅方向Ｔ２の両端部からそれぞれ直角に下方に垂設された左右一対の側壁パネル部５１ｂと、各側壁パネル部５１ｂの下端からカバーパネル部５１ａと反対側の幅方向Ｔ２外側（水平の横方向）に延設された左右一対の底面パネル部５１ｃとを備え、略Ω状に形成されている。
【００６６】
カバーパネル部５１ａには、ヒンジ部４９との干渉を防ぐための凹所５２が形成されている。
【００６７】
カバー部材５１は、固定フレーム８の左右一対の連結部材３６の上にカバーパネル部５１ａを載置して支持させ、カバーパネル部５１ａでロータンク７の上面側を、一対の側壁パネル部５１ｂでロータンク７の両側面側をそれぞれ被覆するように設置される。
【００６８】
このようにカバー部材５１をトイレ用キャビネット３の内部空間に設置すると、ロータンク７の幅方向Ｔ２両側部側に、側壁パネル部５１ｂと底面パネル部５１ｃによって収容空間Ｈが形成される。
【００６９】
側壁パネル部５１ｂには貫通孔５３が形成されており、この貫通孔５３を通じて収容空間Ｈ側から強制排水手段５０を操作することが可能とされている。
【００７０】
一方、本実施形態のトイレ用キャビネット３においては、図３に示すように、前パネル３ａの上端部がカウンターパネル３ｂの前端部と前後方向Ｔ１に重なる縦勝ち形態で構成されている。なお、前パネル３ａの上端部がカウンターパネル３ｂの前端部よりも上方に配されていてもよい。すなわち、本実施形態のトイレ用キャビネット３では、前パネル３ａの上端部側がカウンターパネル３ｂの前端部と前後方向Ｔ１に重なる縦勝ち形態で構成されていればよい。
【００７１】
本実施形態のトイレ用キャビネット３においては、図３、図８に示すように、カウンターパネル３ｂが、閉状態で前パネル３ａと前端部との前後方向Ｔ１の間に隙間Ｌが形成されている。カウンターパネル３ｂの前端面３ｃは、カウンターパネル３ｂの上面３ｄから下面３ｅに向かうに従い前端部から後端部側に向けて傾斜する傾斜面を備えて形成されている。
なお、閉状態のカウンターパネル３ｂの前端部と前パネル３ａとの前後方向Ｔ１の間の隙間Ｌは、カウンターパネル３ｂひいてはトイレ用キャビネット３の幅方向Ｔ２の少なくとも一部に設けられていればよい（形成されていればよい）。  
【００７２】
本実施形態のトイレ用キャビネット３は、閉状態のカウンターパネル３ｂの前端部の下方に、閉状態で前パネル３ａと前端部との前後方向Ｔ１の間の隙間Ｌと上下方向Ｔ３に重なるように目隠し部材５４が設けられている。本実施形態において、目隠し部材５４は、略矩形平板状に形成され、前パネル３ａに接続して所定位置に配設されている。
【００７３】
そして、上記構成からなる本実施形態のトイレ用キャビネット３においては、前パネル３ａの上端部がカウンターパネル３ｂの前端部と前後方向Ｔ１に重なる縦勝ち形態で構成されていることにより、トイレルーム１００に入ってトイレ用キャビネット３が目に入ったときに、前パネル３ａの前面が一面に見え、従来の横勝ち形態のトイレ用キャビネットのように幅方向Ｔ２に延びる前パネル３ａとカウンターパネル３ｂの取り合い部が線や隙間として露出し見えることがない。
【００７４】
これにより、従来と比較し、意匠性を大幅に向上させることが可能になる。また、箱としての存在感が大幅に低減し、トイレ用キャビネット３を壁材（後壁１０３）と一体化して見えるようにすることができ、空間的な意匠性の向上も図ることが可能になる。
【００７５】
本実施形態のトイレ用キャビネット３においては、カウンターパネル３ｂが、後端部側を中心に回動して開閉可能に設けられるとともに、閉状態で前パネル３ａと前端部との前後方向Ｔ１の間に隙間Ｌが形成されるように設けられている。
【００７６】
これにより、隙間Ｌに指を入れてカウンターパネル３ｂの前端部に指を掛け、カウンターパネル３ｂを引き上げて開くことができる。
【００７７】
本実施形態のトイレ用キャビネット３においては、閉状態のカウンターパネル３ｂの前端部の下方に、隙間Ｌと上下方向Ｔ３に重なるように配設された目隠し部材５４が設けられていることにより、隙間Ｌを目隠し部材５４が閉塞し、カウンターパネル３ｂを閉じた状態でトイレ用キャビネット３の内部が隙間Ｌを通じて外側から見えてしまうことを防止できる。また、カウンターパネル３ｂを閉じる際に、カウンターパネル３ｂの前端部側を目隠し部材５４に当接させ、位置決めすることができる。すなわち、目隠し部材５４をカウンター受けとして機能させることができる。
【００７８】
さらに、目隠し部材５４が設けられていることによって、例えば、隙間Ｌから水などがトイレ用キャビネット３の内部に入り込むことを防止でき、トイレ用キャビネット３の内部に設けられる照明装置や人感センサなどの電装部品を保護することも可能になる。
【００７９】
本実施形態のトイレ用キャビネット３においては、カウンターパネル３ｂの前端面３ｃが、カウンターパネル３ｂの上面３ｄから下面３ｅに向かうに従い前端部から後端部側に向けて傾斜する傾斜面を備えて形成されている。これにより、隙間Ｌに指を入れてカウンターパネル３ｂの前端部に指を掛けやすく、好適にカウンターパネル３ｂを開くことができる。
【００８０】
よって、本実施形態のトイレ用キャビネット３によれば、意匠性、利便性、機能性等に優れたトイレ用キャビネット３を実現することが可能になる。
【００８１】
以上、本発明に係るトイレ用キャビネットの一実施形態について説明したが、本発明は上記の一実施形態に限定されるものではなく、その趣旨を逸脱しない範囲で適宜変更可能である。
【符号の説明】
【００８２】
２  壁掛け便器（壁掛け式の便器装置）
３  トイレ用キャビネット
３ａ  前パネル
３ｂ  カウンターパネル
３ｃ  前端面
３ｄ  上面
３ｅ  下面
４  便器本体
７  ロータンク
８  固定フレーム
１０  給水部
１２  排水部
１５  フレーム本体部
１６  接続支持部
１７  縦材
１８  縦材
１９  横材（Ｌ字アングル）
２０  連結横材
２２  タンク支持部材
３０  下側接続部
３１  上側接続部
３５  補強木
３６  連結部材（全ねじボルト）
３７  固定具
４９  ヒンジ部
５０  強制排水手段
５１  カバー部材
５１ａ  カバーパネル部
５１ｂ  側壁パネル部
５１ｃ  底面パネル部
５２  凹所
５３  貫通孔
５４  目隠し部材
１００  トイレルーム
１０１  後壁（壁材、建築部材）
１０２  側壁
１０３  床構造
１０４  隅柱（柱材、建築部材）
１０５  補強下地（補強受け木、建築部材）
１０６  柱側受け木（受け木、建築部材）
Ｈ  収容空間
Ｔ１  前後方向
Ｔ２  幅方向
Ｔ３  上下方向
【図１】
2020111924.tif 000003
【図２】
2020111924.tif 000004
【図３】
2020111924.tif 000005
【図４】
2020111924.tif 000006
【図５】
2020111924.tif 000007
【図６】
2020111924.tif 000008
【図７】
2020111924.tif 000009
【図８】
2020111924.tif 000010
【図９】
2020111924.tif 000011
【図１０】
2020111924.tif 000012
【図１１】
2020111924.tif 000013
【図１２】
2020111924.tif 000014
【図１３】
2020111924.tif 000015